(57)【特許請求の範囲】
【請求項１】
ラック内に配線されるケーブルを纏めて保持するケーブル保持部材であって、
保持部材本体にフラットな固定面を備えた固定部を形成し、
この固定部には、ネジにより固定可能なネジ固定部と、ツールレスで固定可能なツールレス固定部を形成したケーブル保持部材において、
前記ツールレス固定部は、固定部の側部に形成されたパネル挿入用の溝部と、
固定部の側部から上方に向けて形成された弾性変形可能なロック部を備えており、
前記ロック部は溝部と独立して弾性変形するよう構成されていることを特徴とするケーブル保持部材。
【請求項２】
ロック部は、固定面と平行な方向で変形するものである請求項１に記載のケーブル保持部材。
【請求項３】
請求項１または２に記載のケーブル保持部材と平板状のパネルとの固定構造であって、
パネルには、保持部材本体の固定部が挿入可能な孔部が形成されており、
この孔部は、少なくとも前記固定部の幅よりも大きい幅の幅広孔と固定部の幅よりも小さい幅の幅狭孔を有しているとともに、
前記パネルの外側には突出部が突設されており、
保持部材本体の固定部を幅広孔側に挿入後、幅狭孔側へスライドさせることにより、
溝部と幅狭孔が係合し、かつロック部の上端と突出部が係合して、
ケーブル保持部材がパネルに固定されていることを特徴とするケーブル保持部材とパネルとの固定構造。
【発明の詳細な説明】
【技術分野】
【０００１】
本発明は、ラック内に収納された通信機器等の機器ユニットから引き出された多数本のケーブルを保持するためにラック内に配置されるケーブル保持部材およびそれとパネルとの固定構造に関するものである。
【背景技術】
【０００２】
ラック内に収納された通信機器等の機器ユニットからは多数本のケーブルが引き出されているが、配線作業やメンテナンス作業等の点から、これらのケーブルを整然と配線することが必要である。このため多数本のケーブルを纏めて保持できるようにしたケーブル保持部材が利用されている。しかし、このケーブル保持部材はネジ止めによってラック等の所定箇所に固定するのが普通であり、固定するのにドライバー等のツールを必要とするうえに長時間要し作業性が悪いという問題があった。
【０００３】
そこで本件出願人は、特許文献１に示すように固定用のツールが不要であり、かつ回動作業のみで簡単に取り付けることができるケーブル保持部材を先に提案し既に実用化している。
【０００４】
しかしながら、特許文献１に示すケーブル保持部材の場合は、回動作業のみで取り付け可能とするためマウントフレーム側に特殊な構造の受け部材を取り付けておく必要があった。しかも、前記特殊な構造の受け部材は矩形の筒体内部に嵌め込む構造であり、平板上には取り付けることができないという問題があった。また、特許文献１に示すケーブル保持部材の場合は、回転固定部が飛び出しているため、フラットな平面に対してネジ固定することができないという問題があった。
【先行技術文献】
【特許文献】
【０００５】
【特許文献１】特開２０１３−１１５１６５号公報
【発明の概要】
【発明が解決しようとする課題】
【０００６】
本発明は上記のような問題点を解決して、ケーブルを整然と配線することができ、取り付け手段として、ネジ固定とツールレス固定の双方に対応でき、しかもツールレス固定の場合は簡単かつ確実に取付作業を行うことができるケーブル保持部材およびそれとパネルとの固定構造を提供することを目的とするものである。
【課題を解決するための手段】
【０００７】
上記課題を解決するためになされた本発明のケーブル保持部材は、ラック内に配線されるケーブルを纏めて保持するケーブル保持部材であって、
保持部材本体にフラットな固定面を備えた固定部を形成し、
この固定部には、ネジにより固定可能なネジ固定部と、ツールレスで固定可能なツールレス固定部を形成したケーブル保持部材において、
前記ツールレス固定部は、固定部の側部に形成されたパネル挿入用の溝部と、
固定部の側部から上方に向けて形成された弾性変形可能なロック部を備えており、
前記ロック部は溝部と独立して弾性変形するよう構成されていることを特徴とするものである。
【０００９】
また、その他の好ましい実施形態によれば、前記ロック部は、固定面と平行な方向で変形するものが好ましい。
【００１０】
更に、本発明のケーブル保持部材と平板状のパネルとの固定構造は、パネルには、保持部材本体の固定部が挿入可能な孔部が形成されており、
この孔部は、上から順に少なくとも前記固定部の幅よりも大きい幅の幅広孔と固定部の幅よりも小さい幅の幅狭孔を有しでいるとともに、
前記パネルの外側には突出部が突設されており、
保持部材本体の固定部を幅広孔側に挿入後、幅狭孔側へスライドさせることにより、
溝部と幅狭孔が係合し、かつロック部の上端と突出部が係合して、
ケーブル保持部材がパネルに固定されていることを特徴とするものである。
【発明の効果】
【００１１】
本発明のケーブル保持部材では、保持部材本体を平板状のパネルに取り付ける場合に、ネジにより固定可能なネジ固定部と、ツールレスで固定可能なツールレス固定部が形成されているので、保持部材本体の取り付け手段として、前記ネジ固定部とツールレス固定部の双方に対応可能となる。
【００１２】
また、前記ツールレス固定部は、固定部の側部に形成したパネル挿入用の溝部と、該溝部と固定面の間に位置するように固定部の側部に形成した弾性変形可能なロック部を備えているものとした場合は、ツールレスで保持部材本体をパネルに対して簡単かつ確実に取り付けることができる。
【００１３】
また、前記ロック部は、固定面と平行な方向で変形するものとした場合は、ロック部が固定面から垂直に突出しないため、フラットな面に対して確実にネジ固定することが可能となる。
【００１４】
更に、前記ケーブル保持部材と平板状のパネルとの固定構造として、パネルには、保持部材本体の固定部が挿入可能な孔部が形成されており、この孔部は、上から順に少なくとも前記固定部の幅よりも大きい幅の幅広孔と固定部の幅よりも小さい幅の幅狭孔を有しでいるとともに、前記パネルの外側には突出部が突設されており、保持部材本体の固定部を幅広孔側に挿入後、幅狭孔側へスライドさせることにより、溝部と幅狭孔が係合し、かつロック部の上端と突出部が係合して、ケーブル保持部材がパネルに固定されているものとした場合は、ケーブル保持部材をパネルに簡単かつ確実に固定することができる。
【図面の簡単な説明】
【００１５】
【図１】本発明に係るケーブル保持部材の実施の形態を示す斜視図である。
【図２】図１とは反対方向から見た斜視図である。
【図３】本発明に係るケーブル保持部材とパネルとの固定構造を示す斜視図である。
【図４】本発明に係るケーブル保持部材の溝部を示す拡大した平面断面図である。
【図５】本発明に係るケーブル保持部材のロック部を示す拡大縦断面図である。
【図６】ケーブル保持部材をその他の形態のパネルに取り付ける工程を示す斜視図である。
【図７】ケーブル保持部材をその他の形態のパネルに取り付ける工程を示す斜視図である。
【図８】ケーブル保持部材をその他の形態のパネルに取り付ける工程を示す斜視図である。
【図９】本発明のケーブル保持部材をマウントフレームに取り付けた状態を示す全体正面図である。
【図１０】図９の要部を示す拡大正面図である。
【図１１】ケーブル保持部材がマウントフレームにねじ止めされている状態を示す斜視図である。
【図１２】本発明のケーブル保持部材を垂直方向に積み上げる場合を示す分解斜視図である。
【図１３】本発明のケーブル保持部材を垂直方向に積み上げる例を示す斜視図である。
【発明を実施するための形態】
【００１６】
以下に、図面を参照しつつ本発明の好ましい実施の形態を示す。
本発明のケーブル保持部材は、ラック内に収納された通信機器等の機器ユニットから引き出された多数本のケーブルを纏めるために用いるものである。図９は、一例として、ラック２０のマウントフレーム２１にスプライスユニット２２を取り付けた場合を示しており、スプライスユニット２２の前面から引き出された出た複数本のケーブル２３を複数個のケーブル保持部材を用いて纏める構造となっている。なお、前記ケーブル２３は光ケーブルである。
【００１７】
図１０に示されるように、前記スプライスユニット２２の上下方向に隣接してパネル２４が取り付けられている。そして、このパネル２４にはケーブル２３を纏めるのに必要な個数だけケーブル保持部材が取り付けられている。図１０では、ケーブル保持部材はスプライスユニット２２の前面に平行して水平方向に所定間隔を隔てて複数個並べてある。なお図中、１は保持部材本体、３０はケーブル保持部材の端部を覆うカバーである。
【００１８】
図１、図２に示すように、前記保持部材本体１はケーブル２３を保持するための上下一対の腕部３、３を備えている。この腕部３は、保持部材本体１の基部２の上下端部からそれぞれ水平方向に突出するよう形成されている。
【００１９】
前記基部２の裏面側（腕部が延設されるのと逆の方向）には、保持部材本体１をパネル２４に取り付けるためのフラットな固定面４を備えた固定部５が形成されている。また、この固定部５には、保持部材本体１を平板状のパネル２４に取り付ける場合に、ツールレスで固定可能なツールレス固定部８と、マウントフレーム２１に取り付ける場合に、ネジによりマウントフレーム２１に形成した固定孔３１に固定可能なネジ固定部７が形成されている。これにより、前記保持部材本体１の取り付け手段として、前記ネジ固定部７とツールレス固定部８の双方に対応できる構成となっている。
【００２０】
ネジ固定部７は、固定部５及び基部２の中央の位置に、固定部５及び基部２を貫通して形成されている。ネジ固定部７はその他に、固定部５の上端と下端に半円状に切欠いた形状に形成されている。
更には、図１２に示されるように、複数個の保持部材本体１を垂直方向に積み上げて、隣接する保持部材本体同士を連結部材３２により連結することも可能である。この連結部材３２は、全体が略長方形の板状体からなり、中央にネジ固定部３３が形成されていて、上下部をそれぞれ挿入片部３４，３４とされている。この挿入片部３４は、保持部材本体１の基部２の上下両端に形成された案内孔部３５に挿入することで、隣接する保持部材本体同士をしっかりと連結するものである。これにより、使用状況に応じて保持部材本体１を垂直方向に積み上げて増設することが可能となる。
なお、前記保持部材本体１は機器ユニットの最小単位の縦幅（１ユニット）に形成されているので、１ユニットごとにケーブル２３を腕部３を介して横方向から上下方向に配線する場合に、必要な数だけの保持部材本体１を垂直方向に連結させて使用すればよい。
前記連結部材３２のネジ固定部３３は、保持部材本体同士を連結した場合に固定部５の上下端に形成したネジ固定部７と一致するものであり、１本のボルトで両者を締結できるよう構成されている。また、図１３に示されるように、例えば４個の保持部材本体１を連結した場合に、全てのネジ固定部をボルト固定しなくても、最上段と最下段の保持部材本体１のネジ固定部７のみをボルト６で締結すれば、中間に位置する２段目と３段目の保持部材本体１はネジ止めしなくても連結部材３２の介在によりしっかりと連結固定されることとなり、ボルト固定する箇所を大幅に削減できて作業性が向上することとなる。
また、固定面４をフラットに形成しているので、ケーブル保持部材をマウントフレーム２１の平板状の面にネジ固定することが可能である。
【００２１】
以下に、ツールレス固定部８を利用して取り付ける場合について説明する。
前記ツールレス固定部８は、固定部５の側部に形成したパネル挿入用の溝部９と、固定部６の側部上方に形成した弾性変形可能なロック部１０を備えたものである。図1、２に示すようにロック部１０は固定面４と溝部９の間に位置する。図３はケーブル保持部材とパネル２４との固定構造を説明する斜視図、図４は溝部９を示す拡大した平面断面図、図５はロック部１０を示す拡大縦断面図である。
【００２２】
前記溝部９は、パネル２４に形成された孔部２５の端縁を挿入してパネルを固定するとともに、保持部材本体１のパネルからの抜けを防止するものである（図４を参照）。また、ロック部１０は突出部２６と係合して保持部材本体１がパネルの上方向へ抜けるのを防止するものである（図５を参照）。
【００２３】
なおロック部１０は、前記固定部５の側部上方に形成される弾性変形可能なものであり、固定面４と平行な方向で変形可能とされている。また、ロック部１０は、前記固定部５の側部から上方に向けて末広がりに形成され、上端部は固定部５の幅よりも大きくなるように形成されている。
【００２４】
図３に示すものでは、前記パネル２４には、保持部材本体１の固定部が上方から挿入可能な孔部２５が形成されており、この孔部２５は、前記固定部５の幅よりも大きい幅の幅広孔２５ａと固定部５の幅よりも小さい幅の幅狭孔２５ｂを有しでいる。また、幅広孔２５ａの外側には突出部２６が突設されている。
【００２５】
このように構成したものでは、保持部材本体１の固定部５を上方から幅広孔２５ａ側に挿入後、幅狭孔２５ｂ側へスライド移動させると、前記幅狭孔２５ｂの端縁が溝部９に挿入されてパネル２４を確実に固定するとともに、保持部材本体１がパネル２４の孔部２５から抜けるのを防止することとなる（図４を参照）。
また、前記ロック部１０は弾性変形可能なものであり、前記固定部５の側部から上方に向けて末広がりに形成され、上端部は固定部５の幅よりも大きくなるように形成されているので、下方へスライド移動中は突出部２６の端部２６ａに押されて縮径する方向に縮んでスムーズに移動し、所定位置まで下がると突出部２６の規制がなくなり元の状態に復帰する。この結果、ロック部１０の上端はパネルの外側に突設されている突出部２６と係合して、保持部材本体１がパネル２４の上方向へ抜けるのを防止することとなる（図５を参照）。
【００２６】
次に、ケーブル保持部材をその他の形態のパネルに取り付ける場合につき、図６〜図８に基づいて説明する。
図６に示すものでは、パネル２４の孔部２５は上から順に前記固定部２５の幅よりも大きい幅の幅広孔２５ａ、固定部２５の幅と等しい幅の中間孔２５ｃ、固定部の幅よりも小さい幅の幅狭孔２５ｂで構成されているとともに、前記中間孔２５ｃの外側には突出部２６が突設された構造となっている。
【００２７】
このように構成したものでは、保持部材本体１の固定部５をパネル２４の孔部２５の幅広孔２５ａ、および中間孔２５ｃに向けて水平に押し込む（図６、図７を参照）。次いで、保持部材本体１を下方に向けてスライド移動させると、前記幅狭孔２５ｂの端縁が溝部９に挿入されてパネル２４を確実に固定する。また、ロック部１０は下方へスライド移動中は突出部２６に押されて縮径する方向に縮んでスムーズに移動し、所定位置まで下がると突出部２６の規制がなくなり元の状態に復帰する。この結果、ロック部１０の上端はパネルの外側に突設されている突出部２６と係合して、保持部材本体１がパネル２４の上方向へ抜けるのを防止することとなる（図５を参照）。
【００２８】
以上の説明からも明らかなように、本発明のケーブル保持部材では、保持部材本体にフラットな固定面を備えた固定部を形成し、この固定部には、保持部材本体を平板状のパネルに取り付ける場合に、ツールレスで固定可能なツールレス固定部と、マウントフレームに取り付ける場合に、ネジによりマウントフレームに形成した固定孔に固定可能なネジ固定部が形成されているので、保持部材本体の取り付け手段として、前記ネジ固定とツールレス固定の双方に対応できることとなる。また、ツールレス固定の場合はドライバー等のツールを使用することなく、ワンタッチ式で簡単かつ確実に取り付けることが可能となる。
【符号の説明】
【００２９】
１  保持部材本体
２  基部
３  腕部
４  固定面
５  固定部
６  ボルト
７  ネジ固定部
８  ツールレス固定部
９  溝部
１０  ロック部
２０  システムラック
２１  マウントフレーム
２２  スプライスユニット
２３  ケーブル
２４  パネル
２５  孔部
25ａ  幅広孔
25ｂ  幅狭孔
25ｃ  中間孔
２６  突出部
26ａ  端部
３０  カバー
３１  固定孔
３２  連結部材
３３  ネジ固定部
３４  挿入片部
３５  案内孔部
【図１】
0006653952.tif 000002
【図２】
0006653952.tif 000003
【図３】
0006653952.tif 000004
【図４】
0006653952.tif 000005
【図５】
0006653952.tif 000006
【図６】
0006653952.tif 000007
【図７】
0006653952.tif 000008
【図８】
0006653952.tif 000009
【図９】
0006653952.tif 000010
【図１０】
0006653952.tif 000011
【図１１】
0006653952.tif 000012
【図１２】
0006653952.tif 000013
【図１３】
0006653952.tif 000014